(57)【特許請求の範囲】
【請求項１】
リング状の翼環の内周部に、複数の翼を有する静翼ブロックが、前記翼環の内周面にて周方向に沿って形成された遮熱環に係合されて取り付けられるタービン翼環に用いられる静翼リングにおいて、分割された前記翼環の内周面に沿って前記静翼ブロックを移動させることにより、前記静翼ブロックを前記翼環に着脱させる静翼の着脱用治具であって、前記翼環の外周部に固定される治具本体と、前記静翼ブロックと前記遮熱環との隙間に挿入される爪が形成され、前記静翼ブロックに掛けられる爪部と、該爪部と前記治具本体とに連結された線材と、該線材を前記治具本体の方に引き寄せる巻き取り機とを有することを特徴とする静翼の着脱用治具。
【請求項２】
前記治具本体は、前記翼環の円周方向に間隔を開けて複数設けられた径方向に連通する穴に差し込むピンを有し、該ピンを穴へ差し込むことにより前記翼環に固定されることを特徴とする請求項１記載の静翼の着脱用治具。
【請求項３】
前記治具本体は、前記巻き取り機が設けられ、前記翼環の上面に配置される押さえ板と、前記ピを有し前記翼環の外周部側面に配置される固定板とからなり、前記押さえ板は、前記固定板への固定位置が前記ピンに対して近接離間方向に移動可能とされていることを特徴とする請求項２記載の静翼の着脱用治具。
【請求項４】
前記ピンは、前記固定板に着脱自在に固定されていることを特徴とする請求項３記載の静翼の着脱用治具。
【請求項５】
前記治具本体は、前記押さえ板の下に固定されて、前記押さえ板と前記翼環との間に隙間を形成する板状のスペーサを有することを特徴とする請求項３または請求項４記載の静翼の着脱用治具。
【請求項６】
前記スペーサは、前記押さえ板への固定位置が、前記押さえ板の長手方向に変更可能とされていることを特徴とする請求項５記載の静翼の着脱用治具。
【請求項７】
前記スペーサは、前記翼環の円周方向に長い板状に形成され、その長さ寸法は、前記押さえ板の幅寸法よりも長く形成されていることを特徴とする請求項５または請求項６記載の静翼の着脱用治具。
【発明の詳細な説明】
【０００１】
【発明の属する技術分野】
本発明は、ガスタービン等のタービン翼環の組み立て、あるいは分解するときに、静翼を着脱するために用いられる静翼の着脱用治具に関するものである。
【０００２】
【従来の技術】
従来より、翼環に静翼を着脱させる方法としては、図３に示すように、数枚の翼を有する静翼ブロック２２を、分割した翼環２０の内側円周方向に沿って設けられた遮熱環２１に係合させ、その外側のシュラウド２３の側面部に当金し、ハンマー等で叩いて翼環の円周方向に移動させていた。
【０００３】
【発明が解決しようとする課題】
ところで、シュラウド２３と遮熱環２１との間はシール材を設けて密着させる構造であるため、ハンマー等で叩いて動かすには多大な手間と時間とが必要とされていた。また、前記シュラウド２３の側面部をハンマー等で叩く際、シュラウド２３を変形させ、静翼の形状に影響を及ぼす可能性があった。
【０００４】
この発明は、上記事情に鑑みてなされたもので、短時間で簡単に、しかも静翼の形状に影響を及ぼすことなく、翼環に静翼を取り付け、取り外しできる静翼の着脱用治具を提供する事を目的としている。
【０００５】
【課題を解決するための手段】
上記目的を達成するために、請求項１記載の静翼の着脱用治具は、翼環の外周部に固定される治具本体と、静翼ブロックと遮熱環との隙間に挿入される爪が形成され、静翼ブロックに掛けられる爪部と、爪部と前記治具本体とに連結された線材と、線材を治具本体の方に引き寄せる巻き取り機とを有することを特徴としている。
【０００６】
したがって、翼環の外周部に治具本体を固定し、遮熱環に係合された静翼ブロックと遮熱環との隙間に爪を挿入して、静翼ブロックに爪部を掛けて、線材を巻き取り機で巻き取って治具本体の方に引き寄せることで、線材の張力によって容易に静翼ブロックを翼環の円周方向に動かすことができる。
【０００７】
請求項２記載の静翼の着脱用治具は、治具本体が、翼環の円周方向に間隔を開けて複数設けらた径方向に連通する穴に差し込むピンを有し、このピンを穴へ差し込むことにより翼環に固定されることを特徴としている。
このように、ピンを穴に差し込むことで、簡単に治具本体を翼環に固定することができる。また、穴は翼環の円周方向に間隔を開けて複数設けられているので、静翼ブロックを動かす方向にあわせて治具本体を固定する穴を選ぶことができ、静翼ブロックを翼環の任意の円周方向へ動かすことができる。治具本体を固定する穴を選ぶ際、穴を静翼ブロックの近くに選ぶと、より簡単に静翼ブロックを翼環の円周方向に動かすことができると同時に、小さな力で静翼ブロックを引くことができ、静翼ブロックの爪部が掛けられた箇所が変形し、静翼ブロックの形状に影響を及ぼす危険性を抑えることができる。
【０００８】
請求項３記載の静翼の着脱用治具は、巻き取り機が設けられ、翼環の上面に配置される押さえ板と、前記ピンを有し翼環の外周部側面に配置される固定板とからなり、押さえ板は、固定板への固定位置がピンに対して近接離間方向に移動可能とされていることを特徴としている。
つまり、前記穴が設けられた高さにあわせて押さえ板の固定板への固定位置を移動させることができるので、穴が設けられた高さにあわせて押さえ板の固定板への固定位置を移動させて、押さえ板とピンの間隔を調節することができ、穴の設けられた高さによらず押さえ板を翼環の上面に配置し、治具本体を翼環の外周部に固定することができる。
【０００９】
請求項４記載の静翼の着脱用治具は、前記ピンが固定板に着脱自在に固定されていることを特徴としている。
すなわち、穴の大きさにあわせてピンを変えることができ、翼環の種類によらず治具本体を翼環に固定することができる。
【００１０】
請求項５記載の静翼の着脱用治具は、押さえ板の下に固定されて、押さえ板と翼環との間に隙間を形成する板状のスペーサを有することを特徴としている。
したがって、翼環の上面の外周に沿って貼られるシール材の内周側にスペーサを配置して、シール材と押さえ板との間に空間を設けることで、押さえ板によってシール材が傷つけられるのを防ぐことができる。
【００１１】
請求項６記載の静翼の着脱用治具は、スペーサの押さえ板への固定位置が、押さえ板の長手方向に変更可能とされていることを特徴としている。
つまり、スペーサの固定位置を変更することにより、前記シール材の幅を問わずスペーサをシール材の内周側に配置し、シール材と押さえ板との間に空間を設けて、押さえ板によってシール材が傷つけられるのを防ぐことができる。
【００１２】
請求項７記載の静翼の着脱用治具は、スペーサが、翼環の円周方向に長い板状に形成され、その長さ寸法は押さえ板の幅寸法よりも長く形成されていることを特徴としている。
したがって、線材を治具本体の方に引き寄せる際、線材が治具本体を引っ張て、ピンの周りに回転させようとする力を、スペーサがその長手方向にわたって受け止め、治具本体がピンの周りに回転するのを防ぐことができる。
【００１３】
【発明の実施の形態】
以下に、本発明の実施形態例の静翼の着脱用治具を、図面を参照して説明する。
図１には、本発明の実施形態例の着脱用治具が示されている。この着脱用治具は、翼環２０の外周部に固定される治具本体２と、複数の翼を有する静翼ブロック２２と、翼環２０の内周面にて周方向に沿って設けられた遮熱環２１との隙間に爪４ａを挿入して静翼ブロック２２に掛けられる爪部４と、この爪部４と治具本体２とに連結された線材５と、この線材５を治具本体２の方に引き寄せる巻き取り機６を有している。
【００１４】
治具本体２は、巻き取り機６が設けられて、翼環２０の上面に配置される押さえ板７と、この押さえ板７の下に固定される板状のスペーサ８と、翼環２０の外周部側面に配置される固定板９と、この固定板９の下部に設けられて、翼環２０の円周方向に間隔を開けて複数設けらた径方向に連通する穴２４に差し込しこまれるピン１０とから構成されている。
【００１５】
押さえ板７は、図２に示すように、ボルト１１によって固定板９に固定されており、その固定位置はピン１０に対して近接離間方向に移動可能とされている。スペーサ８は、翼環２０の円周方向の寸法が、押さえ板７の幅寸法よりも長く形成されていて、押さえ板７にボルト１２で、固定位置が押さえ板７の長手方向に変更可能に固定されている。また、ピン１０は、固定板９にねじ込まれて着脱自在に固定されている。
【００１６】
上記治具本体２を、翼環２０の上面の外周に沿って貼られるシール材２５の内周側にスペーサ８を置いて、押さえ板７を翼環２０の上面に配置し、固定板９に固定されたピン１０を前記穴２４に差し込んで、翼環２０の外周部に固定させる。ピン１０は穴２４の大きさに合うものを取り付ける。
【００１７】
次に、爪４ａを静翼ブロック２２と遮熱環２１との隙間に挿入して、爪部４を静翼ブロック２２に掛ける。そして、治具本体２に取り付けられた巻き取り機６で、爪部４と治具本体２とに連結された線材５を巻き取って治具本体２の方にたぐり寄せる。  すると、線材５の張力で、静翼ブロック２２が動かされ、治具本体２に引き寄せられる。
【００１８】
静翼ブロック２２が治具本体２に十分引き寄せらたら、治具本体２を翼環２０からはずし、静翼ブロック２２を動かしたい方向に形成された別の穴２４にピン１０を差し込んで、治具本体２を翼環２０に固定し直し、爪部４を静翼ブロック２２に掛けて、線材５を巻き取り機６で巻き取って、静翼ブロック２２を翼環２０の円周方向に動かす。
以降、同様の動作を繰り返して、静翼ブロック２２を翼環２０の円周方向に動かして、翼環２０の所定位置に着脱させる。
【００１９】
このように、上記静翼の着脱用治具は、翼環２０の外周部に固定される治具本体２と、静翼ブロック２２と遮熱環２１との隙間に挿入される爪４ａが形成され、静翼ブロック２２に掛けられる爪部４と、爪部４と治具本体２とに連結された線材５と、線材５を治具本体２の方に引き寄せる巻き取り機６とを有しているので、翼環２０の外周部に治具本体２を固定し、遮熱環２１に係合された静翼ブロック２２と遮熱環２１との隙間に爪４ａを挿入して、静翼ブロック２２に爪部４を掛けて、線材５を巻き取り機６で治具本体２の方に引き寄せることで、線材５の張力によって容易に静翼ブロック２２を翼環２０の円周方向の所定位置に動かすことができる。
【００２０】
また、上記治具本体２は、固定板９に翼環２０の円周方向に設けらた径方向に連通する穴２４に差し込むピン１０が着脱自在に固定されているので、穴２４の大きさに合うピン１０を穴２４に差し込んで、簡単に治具本体２を翼環２０の外周部に固定することができる。また、穴２４は翼環２０の円周方向に間隔を開けて複数設けられているので、治具本体２を静翼ブロック２２を翼環２０の任意の円周方向へ動かすことができる。また、治具本体２を固定する穴２４を静翼ブロック２２の近くに選ぶと、より小さい力で静翼ブロック２２を翼環２０の円周方向に動かすことができると同時に、小さな力で静翼ブロック２２を引くことができ、静翼ブロック２２の爪部４が掛けられた箇所が変形し、静翼ブロック２２の形状に影響を及ぼす危険性を抑えることができる。
【００２１】
さらに、上記治具本体２は、押さえ板７が、固定板９への固定位置がピン１０に対して近接離間方向に移動可能とされているので、穴２４が設けられた高さにあわせて押さえ板７の固定位置を移動させて、押さえ板７とピン１０の間隔を調節することができ、穴２４の設けられた高さによらず押さえ板７を翼環２０の上面に配置し、治具本体２を翼環２０の外周部に固定することができる。また、押さえ板７の下には、押さえ板７と翼環２０との間に隙間を形成する板状のスペーサ８が、押さえ板７との固定位置を、押さえ板７の長手方向に変更可能となるように固定されているので、翼環２０の上面の外周に沿って貼られるシール材２５の幅を問わず、シール材２５の内周側にスペーサ８を配置して、シール材２５と押さえ板７との間に空間を設けることができ、押さえ板７によってシール材２５が傷つけられるのを防ぐことができる。
【００２２】
上記実施形態のスペーサ８は、翼環２０の円周方向に長い板状に形成され、その長さ寸法は押さえ板７の幅寸法よりも長く形成されているので、線材５を治具本体２の方に引き寄せる際、線材５が治具本体２を引っ張て、ピン１０の周りに回転させようとする力を、スペーサ８がその長手方向にわたって受け止め、治具本体２がピン１０の周りに回転するのを防ぐことができる。
【００２３】
【発明の効果】
以上、説明したように、本発明の静翼の着脱用治具によれば、以下の効果を得ることができる。
請求項１記載の静翼の着脱用治具は、翼環の外周部に固定される治具本体と、静翼ブロックと遮熱環との隙間に挿入される爪が形成され、静翼ブロックに掛けられる爪部と、爪部と前記治具本体とに連結された線材と、線材を治具本体の方に引き寄せる巻き取り機とを有するしているので、翼環の外周部に治具本体を固定し、遮熱環に係合された静翼ブロックと遮熱環との隙間に爪を挿入して、静翼ブロックに爪部を掛けて、線材を巻き取り機で巻き取って治具本体の方に引き寄せることで、線材の張力によって容易に静翼ブロックを翼環の円周方向に動かすことができる。
【００２４】
請求項２記載の静翼の着脱用治具によれば、治具本体は、翼環の円周方向に間隔を開けて複数設けらた径方向に連通する穴に差し込むピンを有し、このピンを穴へ差し込むことにより翼環に固定されるので、ピンを穴に差し込むことで、簡単に治具本体を翼環に固定することができる。また、穴は翼環の円周方向に間隔を開けて複数設けらているので、静翼ブロックを動かす方向にあわせて治具本体を固定する穴を選ぶことができ、静翼ブロックを翼環の任意の円周方向へ動かすことができる。治具本体を固定する穴を選ぶ際、穴を静翼ブロックの近くに選ぶと、より簡単に静翼ブロックを翼環の円周方向に動かすことができると同時に、小さな力で静翼ブロックを引くことができ、静翼ブロックの爪部が掛けられた箇所が変形し、静翼ブロックの形状に影響を及ぼす危険性を抑えることができる。
【００２５】
請求項３記載の静翼の着脱用治具によれば、治具本体は、巻き取り機が設けられ、翼環の上面に配置される押さえ板と、ピンを有し翼環の外周部側面に配置される固定板とからなり、押さえ板は、固定板への固定位置がピンに対して近接離間方向に移動可能とされているので、穴が設けられた高さにあわせて押さえ板の固定板への固定位置を移動させて、押さえ板とピンの間隔を調節することができるので、穴の設けられた高さによらず押さえ板を翼環の上面に配置し、治具本体を翼環の外周部に固定することができる。
【００２６】
請求項４記載の静翼の着脱用治具によれば、ピンが固定板に着脱自在に固定されているため、穴の大きさにあわせてピンを変えることができ、翼環の種類によらず治具本体を翼環に固定することができる。
【００２７】
請求項５記載の静翼の着脱用治具によれば、治具本体は、押さえ板の下に固定されて、押さえ板と翼環との間に隙間を形成する板状のスペーサを有するので、翼環の上面の外周に沿って貼られるシール材の内周側にスペーサを配置して、シール材と押さえ板との間に空間を設けることで、押さえ板によってシール材が傷つけられるのを防ぐことができる。
【００２８】
請求項６記載の静翼の着脱用治具によれば、スペーサの押さえ板への固定位置は、押さえ板の長手方向に変更可能とされているので、スペーサの固定位置を変更することにより、シール材の幅を問わずスペーサをシール材の内周側に配置し、シール材と押さえ板との間に空間を設けて、押さえ板によってシール材が傷つけられるのを防ぐことができる。
【００２９】
請求項７記載の静翼の着脱用治具によれば、スペーサは、翼環の円周方向に長い板状に形成され、その長さ寸法は押さえ板の幅寸法よりも長く形成されているため、線材を治具本体のほうに引き寄せる際、線材が治具本体を引っ張て、ピンの周りに回転させようとする力を、スペーサがその長手方向にわたって受け止め、治具本体がピンの周りに回転するのを防ぐことができる。
【図面の簡単な説明】
【図１】  本発明の実施形態例の静翼の着脱用治具の側面図である。
【図２】  本発明の実施形態例の静翼の着脱用治具の斜視図である。
【図３】  従来の静翼の着脱方法を説明するための静翼ブロックと翼環の断面図である。
【符号の説明】
２  治具本体
４  爪部
４ａ  爪
５  線材
６  巻き取り機
７ 押さえ板
８  スペーサ
９  固定板
１０  ピン
２０  翼環
２１  遮熱環
２２  静翼ブロック
【図１】
0004690588.tif 000002
【図２】
0004690588.tif 000003
【図３】
0004690588.tif 000004